(57)【要約】【課題】振動により発生する異音を低減できるケーブルを提供することを目的とする。【解決手段】ケーブル１は、三相交流の電力を伝送できるように、３本の被覆電線２により構成されている。３本の被覆電線２は、その軸方向が互いに平行となり、かつ、隣り合う被覆電線２同士が互いに密着するように一体化されている。  ３本の被覆電線２は、撚り合わせられることにより一体化されていてもよいし、結束部材により束ねられることにより一体化されていてもよい。このように３本の被覆電線２が一体化されているから、密着する複数の被覆電線２の間で、引力／反発力によって被覆電線２を振動させようとする力が互いに相殺され、ケーブル１全体としては振動が抑制される。これにより、異音の発生を抑制することができる。【選択図】図１
2013251051.tif 000002
【特許請求の範囲】
【請求項１】
導体を絶縁体で被覆した複数の被覆電線を備えるケーブルであって、
前記複数の被覆電線が、その軸方向が互いに平行となり、かつ、隣り合う被覆電線同士が互いに密着するように一体化されたものである、ケーブル。
【請求項２】
前記複数の被覆電線が、互いに撚り合わされることにより一体化されたものである、請求項１に記載のケーブル。
【請求項３】
前記複数の被覆電線が、結束部材により束ねられることにより一体化されたものである、請求項１に記載のケーブル。
【発明の詳細な説明】
【技術分野】
【０００１】
本発明は、ケーブルに関する。
【背景技術】
【０００２】
例えばハイブリッド車や電気自動車において、インバータ装置からの数百Ｖの三相交流電力を、３本の電線を通して走行用の駆動モータに供給している。
このような場合、各電線を流れる電流に起因する磁界の相互作用により、電線に振動が発生し、その振動がボデー等に伝播して異音を発生することがある。
【０００３】
このような異音発生への対策として、例えば特許文献１に示す技術が提案されている。本文献に示される技術は、エレベータのインバータ−モータ間の動力線に発生する振動を抑制するものであって、複数の電線をケーブル固定装置によって挟持し、そのケーブル固定装置の底部を機械室の床面等に固定することで、電線の振動を抑制しようとするものである。
【先行技術文献】
【特許文献】
【０００４】
【特許文献１】特開２００７−３１０５７号公報
【発明の概要】
【発明が解決しようとする課題】
【０００５】
しかし、上記の技術を車両にそのまま適用しようとすると、ケーブル固定装置をボデーに固定することとなる。しかし、これでは、電線の振動がいっそうボデーに伝播しやすくなり、かえって異音が大きくなってしまうおそれがある。
【０００６】
本発明は上記のような事情に基づいて完成されたものであって、電線の振動により発生する異音を低減できるケーブルを提供することを目的とする。
【課題を解決するための手段】
【０００７】
本発明は、導体を絶縁体で被覆した複数の被覆電線を備えるケーブルであって、  前記複数の被覆電線が、その軸方向が互いに平行となり、かつ、隣り合う被覆電線同士が互いに密着するように一体化されたものである。
【０００８】
このような構成によれば、隣り合う被覆電線の間で、磁界の相互作用に起因して生じる引力／反発力が、一体化している力で相殺され、ケーブル全体としては振動が抑制される。これにより、異音の発生を抑制することができる。
【０００９】
本発明のケーブルは、前記複数の被覆電線が、互いに撚り合わされることにより一体化されたものであってもよく、前記複数の被覆電線が、結束部材により束ねられることにより一体化されたものであってもよい。
【発明の効果】
【００１０】
本発明によれば、電線の振動により発生する異音を低減できるケーブルを提供できる。
【図面の簡単な説明】
【００１１】
【図１】実施形態１のケーブルの斜視図
【図２】変形例１のケーブルの斜視図
【図３】変形例２のケーブルの斜視図
【発明を実施するための形態】
【００１２】
＜実施形態１＞
本発明の実施形態１を、図１を参照しつつ説明する。本実施形態のケーブル１は、ハイブリッド車や電気自動車等において、インバータ装置からの三相交流電力を後輪用の駆動モータに供給するために用いられるものである。
【００１３】
ケーブル１は、三相交流の電力を伝送できるように、３本の被覆電線２により構成されている。各被覆電線２は、芯線３（導体に該当）の周りに絶縁被覆４（絶縁体に該当）を被覆した周知の構造のものである。
【００１４】
３本の被覆電線２は、撚り合わせられることにより、その軸方向が互いに平行となり、かつ、隣り合う被覆電線２同士が互いに密着するように一体化されている。
【００１５】
さて、電流の流れる２本の直線導体が接近しているとき、各導体の周りに発生する磁界の相互作用によって導体には引力／反発力が生じる。同様に、三相交流の電力を伝送するために、３本の被覆電線２を近接して配索すると、上記の引力／反発力によって自由な被覆電線２に振動が発生し、この振動が周囲のボデー等に伝播して異音を発生することがある。なお、３本の被覆電線２に作用する上記の引力／反発力の総和は常に０である。
【００１６】
そこで、本実施形態では、３本の被覆電線２を撚り合わせることにより一体化して配索することとした。このような構成によれば、密着する複数の被覆電線２の間で、引力／反発力によって被覆電線２を振動させようとする力が、撚り合わせによる締め付け力で相殺され、ケーブル１全体としては振動が抑制される。これにより、異音の発生を抑制することができる。
【００１７】
なお、３本の被覆電線２の撚りピッチは、一概に限定されないが、振動によって被覆電線２が互いにばらばらにならない程度に設定されていればよい。
【００１８】
＜変形例１＞
図２には、変形例１のケーブル１０を示した。このケーブル１０は、実施形態１と同様に、３本の被覆電線２により構成されている。
【００１９】
本変形例においては、３本の被覆電線２は、その断面方向から見て俵積み状（各芯線３の中心を結んだときにほぼ正三角形を描く形態）に配置され、その外周に、被覆電線２の長さ方向において一定ピッチ毎にテープ１１（結束部材に該当）が巻き付けられている。これにより、３本の被覆電線２は、その軸方向が互いに平行となり、かつ、隣り合う被覆電線２同士が互いに密着するように一体化されている。結束ピッチは一概に限定されないが、振動によって被覆電線２が互いにばらばらにならない程度に設定されていればよい。
【００２０】
このような構成によっても、密着する複数の被覆電線２の間で、引力／反発力によって被覆電線２を振動させようとする力が、テープ巻き付け力で相殺され、ケーブル１全体としては振動が抑制される。これにより、異音の発生を抑制することができる。
【００２１】
＜変形例２＞
図３には、変形例２のケーブル２０を示した。このケーブル２０は、実施形態１と同様に、３本の被覆電線２により構成されている。
【００２２】
本変形例においては、３本の被覆電線２は、一列に、すなわち、各被覆電線２の芯線３が同一平面上に位置するように並列して配され、その外周に、被覆電線２の長さ方向において一定ピッチ毎にテープ１１が巻き付けられている。これにより、３本の被覆電線２は、その軸方向が互いに平行となり、かつ、隣り合う被覆電線２同士が互いに密着するように一体化されている。結束ピッチは一概に限定されないが、振動によって被覆電線２が互いにばらばらにならない程度に設定されていればよい。
【００２３】
このような構成によっても、密着する複数の被覆電線２の間で、引力／反発力によって被覆電線２を振動させようとする力が、テープ巻き付け力で相殺され、ケーブル１全体としては振動が抑制される。これにより、異音の発生を抑制することができる。
【００２４】
＜他の実施形態＞
本発明は上記記述及び図面によって説明した実施形態に限定されるものではなく、例えば次のような実施形態も本発明の技術的範囲に含まれる。
（１）上記実施形態および変形例では、被覆電線２は３本であるとしたが、被覆電線は２本であってもよく、あるいは４本以上であってもよい。
【００２５】
（２）上記変形例では、複数の被覆電線２はテープ１１を巻き付けることにより一体化されていたが、結束部材はテープに限られるものではなく、例えば紐が用いられていても構わない。
【符号の説明】
【００２６】
１、１０、２０…ケーブル
２…被覆電線
３…芯線（導体）
４…絶縁被覆（絶縁体）
１１…テープ（結束部材）
【図１】
2013251051.tif 000003
【図２】
2013251051.tif 000004
【図３】
2013251051.tif 000005